(57)【要約】  フロントピースを備えるタイプの眼鏡フレームであって、このフロントピースにはヒンジ６によって２つのテンプル４、５がそれぞれ接続され、このヒンジは、眼鏡を着用する場合の、フロントピースに対して実質的に垂直な着用位置から、眼鏡を片付ける場合の、フロントピースに対して実質的に平行な静置位置までのテンプル４、５の回動を可能にし、上記フロントピースは、レンズを支持する２つのリム２、３と、場合によってはこれらのリムを接続するブリッジ１とを有し、上記テンプルのうちの一方又は反転テンプル５及び関係するヒンジが上記フロントピースに対して実質的に平行な反転軸９の周りに回動することを可能にする枢動手段が更に設けられ、上記反転軸９は、上記リム２、３の２つの中心を通る直線１０に対して設定された傾斜角αを有し、この傾斜角αは、２．５度〜２５度の範囲、好ましくは５度〜２５度の範囲の値を有することを特徴とする、眼鏡フレーム。【選択図】図４Ｅ
2018536200.tif 000002
【特許請求の範囲】
【請求項１】
フロントピースを備えるタイプの眼鏡フレームであって、前記フロントピースにはヒンジ（６）によって２つのテンプル（４、５）がそれぞれ接続され、前記ヒンジは、前記眼鏡を着用する場合の、前記フロントピースに対して実質的に垂直な着用位置から、前記眼鏡を片付ける場合の、前記フロントピースに対して実質的に平行な静置位置までの前記テンプル（４、５）の回動を可能にし、前記フロントピースは、前記レンズを支持する２つのリム（２、３）と、場合によっては前記リムを接続するブリッジ（１）とを有し、前記テンプルのうちの一方又は反転テンプル（５）及び関係する前記ヒンジ（６）が前記フロントピースに対して実質的に平行な反転軸（９）の周りに回動することを可能にする枢動手段が更に設けられ、前記反転軸（９）は、前記リム（２、３）の前記２つの中心を通る直線（１０）に対して設定された傾斜角（α）を有し、該傾斜角（α）は、２．５度〜２５度の範囲の値を有することを特徴とする、眼鏡フレーム。
【請求項２】
度単位の前記傾斜角（α）は、前記反転軸（９）上の前記反転テンプル（５）の前記枢動点と前記リム（２、３）の前記２つの中心を通る前記直線（１０）との間のミリメートル単位の前記距離に、１〜２を含む比例係数（Ｋ）で正比例する、請求項１に記載の眼鏡フレーム。
【請求項３】
通常着用位置における、前記反転軸（９）の周りでの前記反転テンプル（５）の安定な回動停止位置を規定するのに適した位置決め手段を更に備える、請求項１又は２に記載の眼鏡フレーム。
【請求項４】
前記位置決め手段は、前記反転テンプルの通常着用位置を超えた回動において、前記反転軸（９）の周りでの前記反転テンプル（５）の更なる安定な回動停止位置を規定するのに適している、請求項３に記載の眼鏡フレーム。
【請求項５】
前記反転テンプル（５）の前記反転軸の前記設定された傾斜角（α）は、関係する前記ヒンジ（６）を伴う前記反転テンプル（５）と前記フレームのフロントピースの残りの部分との相互回動が行われる、前記軸（９）に対して垂直な平面（８）を実現するために、前記フレームの前記フロントピースが切断される、前記対応する傾斜角によって決定される、請求項１〜４のいずれか１項に記載の眼鏡フレーム。
【請求項６】
前記反転テンプル（５）の前記反転軸（９）の前記設定された傾斜角（α）は、関係する前記ヒンジ（６）を伴う前記反転テンプル（５）と前記フレームのフロントピースの残りの部分との相互回動を規定するように、前記反転テンプル（５）の前記穿孔された端部が間で枢動される、前記軸（９）に対して垂直な１対の対向する平面を形成するために、前記フレームのフロントピースの前記エンドピースにおけるノッチ（７）が設けられる、前記対応する傾斜角によって決定される、請求項１〜５のいずれか１項に記載の眼鏡フレーム。
【請求項７】
前記反転軸（９）の前記設定された傾斜角（α）の前記値は、前記反転テンプル（５）が、１８０度反転され、更にヒンジの周りで前記静置位置に折り畳まれた後、該反転テンプル（５）の末端部によって前記フレームのリム（２、３）に完全に重なるように、前記値の範囲内で選択される、請求項１〜６のいずれか１項に記載の眼鏡フレーム。
【請求項８】
前記反転軸（９）の前記設定された傾斜角（α）の前記値は、５度〜２５度の範囲である、請求項１〜７のいずれか１項に記載の眼鏡フレーム。
【発明の詳細な説明】
【技術分野】
【０００１】
本発明は、衝撃又は摩擦からレンズを保護する閉位置を有する眼鏡フレームに関する。特に、本発明は、眼鏡が着用されておらず、ケースに入れずに支持体上で閉位置に配置されている場合のレンズの優れた保護を提供することが可能な、完全に新しい概念による眼鏡フレームに関する。
【背景技術】
【０００２】
眼鏡の日常的な使用において、眼鏡は、サングラスであっても度付き眼鏡であっても、使用条件又は周囲環境に応じてしばしば掛け外しする必要があることが知られている。
【０００３】
眼鏡を外すと、眼鏡は大抵、例えば、家具又はテーブルの上、アームチェア又はベッドの上の使用可能な最善の水平面に置かれることが多い。これに関して、眼鏡が閉じられ、すなわち折り畳まれたテンプルが支持面に接触する状態にしても、そうではなく、眼鏡が開かれ、リムの下縁部及びテンプル端部によって支持面上に静置される状態、又はより安定するように、上下逆さにしてフロントピース及びテンプルの上縁部によって支持面上に静置される状態にしても（いずれにしてもレンズが支持面と接触しないため、接触による損傷のリスクがない位置において）、使用者が優しくかつ正しく眼鏡を置く時間、及び配慮を有することは稀である。
【０００４】
実際、眼鏡は、急いでいたり、無配慮又は不注意でいたりするために無造作に置かれることがより多く、そのため、レンズが支持面自体又は周囲の物体に対する衝突又は摩擦によって損傷するリスクがしばしば生じる。
【０００５】
レンズのいかなる損傷も確実に回避するために唯一の容易に得られる方法は、眼鏡を外した際に、眼鏡を専用のケースに入れることである。しかしながら、このようなケースは常に即座に使用できるわけではなく、また、眼鏡は使用条件に応じて素早く続けて何回も掛け外ししなければならないことが多いので、少なくとも現代社会生活の性急な状況では、このような作業は、その実行に過度に時間がかかり、また煩雑である。したがって、最善の利用可能な表面上に直接置くことがより容易であることを考慮すると、このより完全な保護を断念することの方がより簡単である。
【０００６】
特許文献１は、２つのリムを接続するブリッジに収容された枢動手段を備える眼鏡フレームを開示している。そのような枢動手段は、上記ブリッジを通る回転軸の周りでのフレームの２つのリム（及びこのリムにヒンジ接続されたテンプル）の相互回動を可能にし、それにより、２つのリムのうちの一方を他方に対して回動させた後、２つのテンプルは眼鏡の互いに反対側に配されることになり、したがってレンズに対する保護を提供することができるようになっている。
【０００７】
しかしながら、この特許によって開示されている解決策は、一般概念の観点では興味深いものの、実際に満足に適用されるほど好適なものではない。実際、眼鏡において、２つのリムを接続するブリッジは、使用者の鼻又は鼻の少し上方に接触するので、上記リムの上弧部に実質的に位置合わせされてフレームの上部に配置されることがよく知られている。したがって、上記ブリッジを通る回転軸の周りで一方のリムを他方のリムに対して１８０度回動させると、この回動が完了したとき、２つのリムは、関係するテンプルとともに、完全に位置がずれることになることが明白である。
【０００８】
したがって、リムが回動された位置では、各テンプルは（従来の眼鏡でも既にそうであるように）なおも、そのヒンジに対して近位にあるレンズの内側部分を専ら保護するが、１８０度の回動において、上記レンズを含むリムが、ブリッジに関して反転することによって、他方のリムのテンプルの末端部がとる位置に対して完全に位置がずれることにより、（この特許に記載の目的に宣言されているように）テンプルの末端部によってそのヒンジに対して遠位にあるレンズの外側部分を保護することには成功していないので、この特許に記載の目的は達成することができない。結果として、レンズの外側部分は、上述した反転位置においてテンプルの末端部による適切な保護を受けず、そのため、当該特許に開示されている以前からの状況に対する改善は達成可能でない。
【０００９】
これに加えて、２つのリムの上述した１８０度反転位置において、眼鏡は、眼鏡のブリッジの周りで回転軸に関して２つのリムが反対側で完全にオフセットされる完全不整形状をとり、したがって、関係するテンプルの末端部は、実質的に空虚な空間をとることも指摘しておかなければならない。すなわち、２つのリムが延在する平面における眼鏡の嵩は、実質的に２倍になり、眼鏡を片付ける又は扱う際の快適さの観点及び美的観点の双方から、明白なマイナスの結果をもたらす。
【００１０】
特許文献２は、２つのテンプルのうちの少なくとも一方を、テンプルに対して垂直かつフロントピースの平面に対して平行な水平軸の周りに反転させ、それにより、テンプルを通常使用位置に対して反対の位置に向かって１８０度回動させ、続いてテンプルを眼鏡の正面側においてレンズを覆うように折り畳むことで、レンズの両側に保護を提供することができる、老眼鏡フレームを開示している。しかしながら、この特許文献に開示されている解決策と全く同様の解決策は、例えば、特許文献３、特許文献４、特許文献５、特許文献６、特許文献７、特許文献８に開示されているように、以前から既に知られている。
【００１１】
全ての上述した以前の文献の調査から明らかであるように、このようなレンズ保護の解決策を首尾よく適用可能とするための本質的な共通条件は、眼鏡が、（老視用の老眼鏡に関して典型的であるように）高さが小さいレンズと、これらのレンズの中央位置においてヒンジ接続されるテンプルとを特徴とし、上記レンズは、好ましくは矩形であることである。実際、この形状により、このタイプの眼鏡では、テンプルのうちの一方を後方から前方に１８０度回動させることで、このテンプルが、眼鏡フロントピースの正面において、従来の方式でフロントピースの背面に折り畳まれた他方のテンプルがとる位置に対して完全に対称な位置にもたらされ、したがって、レンズの所望の保護を確実にする。
【００１２】
対照的に、広い視野角における視力矯正を確実にするような高さを有するリムを備える標準的なサングラス又は度付き眼鏡では、テンプルは、リムの上縁部付近でヒンジ接続されることがより多い。また、上記テンプルは、使用者の顔の形状により良好に適合し、それぞれ耳の背後の領域においてよりしっかりと係合するように、緩やかな側方凸状部と、端部における顕著な下方屈曲部とを有する。この標準的なタイプの眼鏡のテンプルが、眼鏡のフロントピースの背面に従来の方式で折り畳まれる場合、上述した形状は、テンプルが２つのレンズを斜め方向に横切ることにより、レンズに優れた保護をそれ自体で提供することを確実にする。そうではなく、上記先行文献に提案されているように、眼鏡のテンプルのうちの一方を反転させ、続いて眼鏡のフロントピースの正面に折り畳まなければならない場合、反転されたテンプルは、同様に斜め方向に配置されるが、かかる方向は、眼鏡の上縁部のヒンジ付近から出発して眼鏡の外側へ、眼鏡の背面に折り畳まれたテンプルのうちの一方に対して実質的に平行な経路に従って延びる。したがって、このような位置は、レンズの保護の目的では全く有効でなく、更には決してコンパクトでなく、したがって快適に使用できない。
【先行技術文献】
【特許文献】
【００１３】
【特許文献１】米国特許第６２５７７２０号
【特許文献２】国際公開第２００４／０１９１１２号
【特許文献３】欧州特許第２５９０００６号
【特許文献４】米国特許出願公開第２００４／０１４１１４８号
【特許文献５】米国特許第６１０２５４１号
【特許文献６】欧州特許第１００８８８８号
【特許文献７】米国特許第３０４９９７４号
【特許文献８】英国特許第４５８９９０号
【発明の概要】
【発明が解決しようとする課題】
【００１４】
したがって、本発明の目的は、フレーム形状及びテンプルのヒンジ位置に関する制限を受けることなく、上述した先行特許に開示のフレームに関して提案されている性能と同様である革新的性能を提供する眼鏡フレームを提供することである。特に、この場合、眼鏡フレームは、閉位置の眼鏡を支持面に置く際のレンズの損傷リスクを非常に簡単かつ即座に回避することが可能である。
【００１５】
本発明の別の目的は、フレーム材料に関わらず、すなわち、特にプラスチックフレーム及び金属又は複合材料のフレームの場合でも、特殊な眼鏡モデルのフレームの場合でも、そのような革新的性能を享受する眼鏡フレームを提供することである。
【課題を解決するための手段】
【００１６】
これらの目的は、フロントピースを備えるタイプの眼鏡フレームであって、このフロントピースにはヒンジによって２つのテンプルがそれぞれ接続され、このヒンジは、眼鏡を着用する場合の、フロントピースに対して実質的に垂直な着用位置から、眼鏡を片付ける場合の、フロントピースに対して実質的に平行な静置位置までのテンプルの回動を可能にし、上記フロントピースは、レンズを支持する２つのリムと、場合によってはこれらのリムを接続するブリッジとを有し、上記テンプルのうちの一方及び関係するヒンジが上記フロントピースに対して実質的に平行な回転軸の周りに回動することを可能にする枢動手段が更に設けられる、眼鏡フレームによって達成される。本発明のフレームは、上記回転軸が、上記リムの２つの中心を通る直線に対して設定された傾斜角を有し、この傾斜角は、２．５度〜２５度の範囲、好ましくは５度〜２５度の範囲の値を有することを特徴とする。上記傾斜角の値は、テンプルが、上記回転軸の周りで１８０度回動された位置に配置され、続いてヒンジの周りで静置位置に折り畳まれると、フレームのフロントピースに完全に重なるように、この範囲内で選択される。このようなフレームの他の好ましい特徴は、従属請求項に規定されている。
【００１７】
本発明に係るフレームの更なる特徴及び利点は、いずれの場合も、単なる非限定的な例示として与えられるとともに添付図面に示される、本発明のいくつかの好ましい実施形態の以下の詳細な説明からより明らかとなる。
【図面の簡単な説明】
【００１８】
【図１Ａ】テンプルが開かれた着用位置にある、本発明の第１の実施形態に係る眼鏡フレームの概略斜視図である。
【図１Ｂ】テンプルのうちの一方が、フロントピースに対して平行な回転軸の周りで通常着用位置に対して９０度回動された状態の、図１Ａのフレームの図である。
【図１Ｃ】上記テンプルが上記回転軸の周りで更に９０度回動された状態の、図１Ｂのフレームの図である。
【図１Ｄ】双方のテンプルが静置位置に折り畳まれた状態の、図１Ｃのフレームの図である。
【図２】テンプルが開かれた着用位置にある、本発明に係る眼鏡フレームの正面図である。
【図３】双方のテンプルが静置位置に回動されているが、２つのテンプルのうちの一方が上記回転軸の周りで１８０度回動された状態の、図２と同様の図である。
【図４Ａ】テンプルが開かれた着用位置にある、本発明の第２の実施形態に係る眼鏡フレームの概略斜視図である。
【図４Ｂ】図４Ａのフレームの概略正面図である。
【図４Ｃ】テンプルのうちの一方が、フロントピースに対して平行な回転軸の周りで通常着用位置に対して約９０度回動された状態の、図４Ａのフレームの図である。
【図４Ｄ】上記テンプルが上記回転軸の周りで更に９０度回動されるとともに、フロントピースの正面に折り畳まれた状態の、図４Ｂのフレームの図である。
【図４Ｅ】図４Ｄのフレームの概略斜視図である。
【発明を実施するための形態】
【００１９】
図面に示されているように、本発明に係る眼鏡フレームは、着用位置にある場合、市場で現在使用されている他のフレームに似ているが、リム又はテンプルの特定の設計に限定されない。したがって、このようなフレームは、従来の眼鏡の通例の構成部品を全て備え、特に、中央でブリッジ１によって接続された２つのリム２、３を有するフロントピースであって、上記リムの外縁部、いわゆるエンドピースが、２つのそれぞれのテンプル４及び５のための従来のヒンジを支持する、フロントフレームを備える。
【００２０】
本発明の解決策の一般概念によれば、上述した従来技術の欠点を克服し、ひいてはレンズの両側の完全な保護という所望の目的を達成するために、上記テンプルのうちの一方、正確には、図面における折り畳み可能なテンプル５に、反転軸９の周りでの枢動手段が設けられる。この枢動手段により、テンプル自体が少なくとも１８０度回動し、通常使用位置に対して反対側に移動することが可能になる。テンプル５がこの後者の反転位置にあり、テンプル５が通例のヒンジ６において折り畳まれる場合、このテンプル５は、レンズ正面の保護位置に移動する。
【００２１】
本発明の革新的特徴によれば、反転軸９は、（上記で示した従来技術に係る全ての眼鏡フレームにおいてそうであるように）２つのリム２及び３の中心を通る直線１０に対して平行ではなく、この直線に対して設定された傾斜角αを有する。かかる傾斜角は、眼鏡のサイズ、特に、反転軸９の周りでのテンプル枢動点と眼鏡の中心を通る直線１０との間の距離に応じて、２．５度〜２５度の範囲、好ましくは５度〜２５度の範囲で構成される。また、本出願人が行った実験的研究によれば、度単位の反転軸９の傾斜角αは、ミリメートル単位の上記距離に、１〜２を含む比例係数Ｋで正比例することを確立することが可能であった。
【００２２】
図１〜図３に示されている本発明の眼鏡フレームの第１の実施形態において、軸９の傾斜角は、枢動軸９に対して平行な、眼鏡本体に挿入される枢動軸の周りでの、関係するヒンジ６を伴うテンプル５とフレームのフロントピースの残りの部分との相互回動が行われる平面８を提供するために、エンドピースとの接合領域においてフレームのフロントピースが切断される、対応する傾斜角によって決定される。軸９は、上記平面８に対して垂直であることが明らかである。上記リムが正円形でない場合、リムの中央位置においてリムの上限点及び下限点から等距離に配される点が、リム２、３の「中心」として意図される。
【００２３】
図４に示されている本発明に係るフレームの第２の実施形態において、軸９の傾斜角は、フロントピースのエンドピース領域に形成されるノッチ７の対応する傾斜角によって決定される。ノッチ７は、１対の対向する平面によって画定され、この対向する平面間には、テンプル５の一方の穿孔された端部が挿入され、このテンプルの端部は、ノッチ７を通る、ノッチ７の壁に対して垂直な枢動軸に結合される。ノッチ７は、図面に示されているように上方に開口するか、又は反対に下方に開口することができ、いずれの場合でも、それぞれフロントピースの上方又は下方でのテンプル５の１８０度の回動を可能にする。
【００２４】
したがって、上述した眼鏡フレームの特別な構成により、眼鏡の２つのテンプルによって提供されるレンズの両側の保護（従来技術では、リムの中央位置においてヒンジ接続されたテンプルを有する眼鏡のみに制限されていた）を、テンプルが通例リム２及び３の上縁部においてヒンジ接続される任意の他の眼鏡モデルによるフレームにも適用することができる。実際、反転軸９の角度αの値を上記で示した値の範囲内で好適に選択することにより、図１Ｄ、図３、図４Ｄ及び図４Ｅに示されているように、テンプルの端部をリム２の完全に外側に配するのではなく、１８０度反転された位置におけるテンプル５をリム２に完全に重ね、それによって、このリムのレンズを十分に保護することが可能である。
【００２５】
テンプル５が完全反転位置にあり、かつ、フレームの第２のテンプル４が通例の回動によって静置位置に折り畳まれた場合、２つのテンプルは、レンズ上で完全に中心を合わせた状態で、フロントピース本体の両側においてレンズに重なる。換言すれば、より正確には、テンプル５は、フロントピースの正面側に重なるとともにフロントピースの正面側を保護し、テンプル４は、既知の方式でフロントピースの背面側を保護したままとなる。テンプル５及び関係するヒンジ６からなる群の反転は、本質的に、特にレンズの湾曲によって生まれる眼鏡の「厚み」を相殺し、したがって、眼鏡の特にコンパクトな構成を可能にするように十分なものであることに留意すべきである。
【００２６】
この位置は、本明細書において「安全位置」として定義される。実際、使用者が眼鏡を置く又は更には落とす平面がどのようなものであれ、レンズは常に保護され、通例の閉位置におけるテンプル４及び反転位置におけるテンプル５によって支持面から或る距離を置いて維持される。実用試験により、眼鏡を不慮に床に落とした場合であっても、この安全位置に閉じられていれば、レンズの損傷が回避されることが示されている。実際、落下位置における衝撃は、フレームに影響を及ぼすだけでレンズには直接影響を及ぼさないので、衝撃エネルギーを吸収し、衝撃エネルギーをレンズの周縁に分散させて、したがってレンズに損傷を与えずに放散するには、フレーム材料の固有の弾性で十分である。
【００２７】
テンプル５の枢動手段は、通常使用位置に一致するテンプル５の安定停止位置であって、この位置を超えるには一定の力が必要である、安定停止位置を規定するのに適した位置決め手段を有することが好ましい。また、反転軸９の周りでの回動中にテンプル５が取ることになる全ての異なる位置においてテンプル５を安定位置に維持することに加えて、本発明の眼鏡フレームの正しく安全な閉鎖形態を容易にするとともに、使用者がその正しく安全な閉鎖形態を即座に推測できるようにするために、反転軸９の周りでのテンプル５の更なる回動における上記枢動手段の他の停止位置、例えば、９０度毎の停止位置が設けられることが好ましい。
【００２８】
上記から、本発明のフレームが、意図された目的の双方、すなわち、フレームが作製される材料、フレームの形状、及びテンプルがリムに対してヒンジ接続される位置に関わらず、テンプルのうちの一方が、通常の折畳み位置に対して１８０度完全に反転された位置にある場合、眼鏡のレンズの両側の完全な保護を提供するという目的をいかに完全に達成するかが明確に理解される。
【００２９】
本発明は、単に本発明の例示的な実施形態を表す上記で示した特定の構成に限定されるものとみなされるべきでなく、添付の特許請求の範囲のみによって規定される本発明の保護範囲から逸脱することなく、特に、その目的に適していればいかなる構造もとることができる、反転軸９の周りでの関係するヒンジ６を伴うテンプル５の回動を可能にする枢動手段の構成に関して、いずれも当業者の到達範囲内にある様々な変形が可能であることが理解される。
【図１Ａ】
2018536200.tif 000003
【図１Ｂ】
2018536200.tif 000004
【図１Ｃ】
2018536200.tif 000005
【図１Ｄ】
2018536200.tif 000006
【図２】
2018536200.tif 000007
【図３】
2018536200.tif 000008
【図４Ａ】
2018536200.tif 000009
【図４Ｂ】
2018536200.tif 000010
【図４Ｃ】
2018536200.tif 000011
【図４Ｄ】
2018536200.tif 000012
【図４Ｅ】
2018536200.tif 000013
【国際調査報告】
2018536200.tif 000014
2018536200.tif 000015
2018536200.tif 000016